(57)【要約】【課題】本発明は、カバーを外した状態でアンテナに触れ難くすることのできるアンテナ保護構造及びこれを具えた電子機器を提供する。【解決手段】本発明に係るアンテナ保護構造は、樹脂材料からなるシャーシ１２と、前記シャーシの外面に取り付けられるアンテナ２０と、前記外面を覆う着脱可能なカバーと、を具える電子機器のアンテナ保護構造であって、前記アンテナの少なくとも一部は、前記シャーシを構成する樹脂材料を変形してなる保護部材３１が覆っている。【選択図】図３
2015104067.tif 000002
【特許請求の範囲】
【請求項１】
樹脂材料からなるシャーシと、
前記シャーシの外面に取り付けられるアンテナと、
前記外面を覆う着脱可能なカバーと、
を具える電子機器のアンテナ保護構造であって、
前記アンテナの少なくとも一部は、前記シャーシを構成する樹脂材料を変形してなる保護部材が覆っている、
ことを特徴とするアンテナ保護構造。
【請求項２】
前記保護部材は、前記シャーシに形成された突片を変形させることで形成される、
請求項１に記載のアンテナ保護構造。
【請求項３】
前記シャーシは、前記アンテナが配設された凹みを有し、
前記保護部材は、前記凹みの一方の縁部から他方の縁部に向けて延びる、
請求項１又は請求項２に記載のアンテナ保護構造。
【請求項４】
前記保護部材は、前記アンテナの接点近傍に形成される、
請求項１乃至請求項３の何れかに記載のアンテナ保護構造。
【請求項５】
請求項１乃至請求項４の何れかに記載のアンテナ保護構造を具える、
電子機器。
【発明の詳細な説明】
【技術分野】
【０００１】
本発明は、カバーを外した状態でアンテナに触れ難くすることのできるアンテナ保護構造及びこれを具えた電子機器に関するものである。
【背景技術】
【０００２】
スマートフォンや携帯電話機等の電子機器では、背面シャーシを着脱可能なカバーで覆っており、バッテリ、メモリカード、ＳＩＭ（Subscriber  Identity  Module）カードなどの電子部品を交換等する際に、カバーを取り外す必要がある。
【０００３】
カバーを取り外したときに露出する背面シャーシには、通話やデータ通信、ワンセグ、Wi-Fi(登録商標)、Bluetooth(登録商標)、GPS等の通信のためアンテナを具える。これらアンテナは、金属板を加工して形成され、通信性能を確保するために、背面シャーシに露出して配設される。
【先行技術文献】
【特許文献】
【０００４】
【特許文献１】特開２０１３−９０１１７号公報
【発明の概要】
【発明が解決しようとする課題】
【０００５】
カバーを取り外した状態で露出しているアンテナに指先等で触れると、アンテナが変形や位置ずれし、感度が低下してしまうことがある。
【０００６】
本発明の目的は、カバーを外した状態でアンテナに触れ難くすることのできるアンテナ保護構造及びこれを具えた電子機器を提供することである。
【課題を解決するための手段】
【０００７】
本発明に係るアンテナ保護構造は、
樹脂材料からなるシャーシと、
前記シャーシの外面に取り付けられるアンテナと、
前記外面を覆う着脱可能なカバーと、
を具える電子機器のアンテナ保護構造であって、
前記アンテナの少なくとも一部は、前記シャーシを構成する樹脂材料を変形してなる保護部材が覆っている。
【０００８】
また、本発明に係る電子機器は、上記アンテナ保護構造を具える。
【発明の効果】
【０００９】
本発明に係るアンテナ保護構造によれば、アンテナを保護部材によって覆っているから、アンテナに指先が触れることを抑えることができ、通信性能の低下を防ぐことができる。
【図面の簡単な説明】
【００１０】
【図１】図１は、本発明の一実施形態に係るアンテナ保護構造を具える電子機器の背面図である。
【図２】図２は、図１の枠囲み部Ａの拡大図である。
【図３】図３は、図２の要部斜視図である。
【図４】図４は、図３の線Ｂ−Ｂに沿う断面図である。
【図５】図５は、本発明の一実施形態に係るアンテナ保護構造の斜視図であって、突片を変形する前の状態を示している。
【図６】図６は、図５の平面図である。
【図７】図７は、図６の線Ｃ−Ｃに沿う断面図である。
【図８】図８は、突片を変形させる過程を示す断面図である。
【図９】図９は、突片を変形させる過程を示す断面図である。
【発明を実施するための形態】
【００１１】
以下、本発明のアンテナ保護構造３０を電子機器１０としてスマートフォンに適用した実施形態について図面を参照しながら説明する。本発明を適用可能な電子機器１０として、スマートフォン以外に、携帯電話機、ＰＤＡ（Personal  Digital  Assistant）、タブレット型端末、携帯型音楽プレーヤ、携帯型ゲーム機などを挙げることができる。
【００１２】
図１は、電子機器１０のシャーシ１２を背面側から見た図であり、シャーシ１２を覆うカバーを取り外した状態を示している。電子機器１０のシャーシ１２は、樹脂材料から作製することができ、図に示すように、バッテリやメモリカード、ＳＩＭカード等が収容される収容部１３が凹設されている。収容部１３の周辺には、アンテナ２０，２６が配設されている。
【００１３】
図１乃至図３において、符号２０で示すアンテナは、通話用のメインアンテナであり、導電性を有する金属板にプレス加工等を施すことによって作製することができる。
【００１４】
アンテナ２０は、図２及び図３に示すように、シャーシ１２に形成された凹み１５から延びる一対の端子近傍部分２１，２１と、これら端子近傍部分２１，２１を結び、幅方向に延びるアンテナ本体２２から構成されている。アンテナ本体２２は、一方の端部２３が短く、他方の端部２４が長く延びて屈曲した形状となっている。
【００１５】
アンテナ２０は、複数箇所に形成された貫通孔を、シャーシ１２から突設されたピン１４に嵌めて、ピン１４の先端に熱を加えて押し潰すことでシャーシ１２に固定している。
【００１６】
アンテナ２０は、端子近傍部分２１，２１が、シャーシ１２に形成された一対の凹み１５，１５に挿入されている。端子近傍部分２１，２１は、先端が屈曲しており、凹み１５，１５の底面に開設された端子用孔１９，１９を通ってシャーシ１２を貫通し、シャーシ１２の内部に配置された基板４０の接点端子４１，４１と電気的に接続される。
【００１７】
本実施形態は、バッテリ、メモリカードやＳＩＭカードを交換等するために、ユーザがシャーシ１２に取り付けられたカバーを取り外すことでアンテナ２０が露出する構造の電子機器１０において、露出したアンテナ２０にユーザが指先を触れることで、アンテナ２０が変形や位置ずれしてしまうことを防止するアンテナ保護構造３０を具える。
【００１８】
より詳細には、図１乃至図４に示すように、アンテナ２０の少なくとも一部を、シャーシ１２を構成する樹脂材料により形成された保護部材３１で覆っている。
【００１９】
保護部材３１，３１は、図示の実施形態では、アンテナ２０の端子近傍部分２１，２１を夫々覆うようにしている。端子近傍部分２１，２１は、アンテナ２０の他の部分に比べて、接点端子４１，４１との接触を良好に保ち、アンテナ性能を保持する上で最も重要な部分となるためである。
【００２０】
もちろん、アンテナ２０の保護部材３１により覆われる位置は、端子近傍部分２１，２１に限定されず、他の部分であってもよい。
【００２１】
図２乃至図４に示す実施形態では、保護部材３１，３１は、アンテナ２０の端子近傍部分２１，２１が配設された凹み１５の一方の縁部１６から他方の縁部１７に向けて延びるように形成している。夫々の保護部材３１，３１は、縁部１６から位置をずらして夫々凹み１５，１５を覆っている。図示の保護部材３１は、凹み１５の縁部１６，１７間を架橋するものではないが、縁部１６，１７間を架橋するように構成することで、保護部材３１の強度を高めることができる利点がある。
【００２２】
凹み１５の縁部１６に保護部材３１を形成することで、凹み１５の底面１８に配設されたアンテナ２０の端子近傍部分２１，２１とは直接当接しない。保護部材３１をアンテナ２０から離れた位置に形成することで、保護部材３１を形成する際にアンテナ２０が変形等することを防止できる。さらに、保護部材３１に指先が触れたとしても、アンテナ２０へ指先が届き難くできるので、より良好にアンテナ性能を保持することができる。
【００２３】
なお、アンテナ２０が凹み１５に配設されていない、つまり、シャーシ１２のフラットな部分に配設されている場合には、アンテナ２０を横断するように保護部材３１を形成すればよい。
【００２４】
本発明のアンテナ保護構造３０によれば、バッテリなどを交換等する際に誤って指先がアンテナ２０に触れて、アンテナ２０が変形や位置ずれし、アンテナ２０の性能が低下することを防止でき、電子機器１０の種々の性能低下を防止できる。
【００２５】
上記構成の保護部材３１を形成するために、図５乃至図７に示すように、予めシャーシ１２に突片３２，３２を形成している。突片３２，３２は、円柱状とし、凹部１５，１５間の縁部１６に位置をずらして突設している。
【００２６】
突片３２，３２は、アンテナ２０をシャーシ１２の配設した後、加熱しながら押し倒すことで変形させて保護部材３１となる。
【００２７】
より具体的には、保護部材３１は、図８に示すように、凹み１５に断面矩形の受け治具５０を挿入し、突片３２の先端を押し治具５１によって図の矢印Ｄ方向に押さえ付けて、受け治具５０と押し治具５１で図９に示すように突片３２を変形させつつ挟み込むことで作製することができる。
【００２８】
このように、シャーシ１２に形成した突片３２を変形させて保護部材３１を形成することで、小部品である保護部材３１を作製し、装着させる手間を省くことができ、工程の簡略化を図ることができる。
【００２９】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３０】
たとえば、アンテナ２０の形状、長さ等は、上記実施形態に限定されるものではなく、通信の目的により適宜選択することができる。また、本発明のアンテナ保護構造３０により保護するアンテナ２０は、通話用、データ通信、ワンセグ、Wi-Fi、Bluetooth、GPS等の通信用のものであってもよい。
【符号の説明】
【００３１】
１０  電子機器
１２  シャーシ
１５  凹み
１６  縁部
１７  縁部
２０  アンテナ
２１  端子近傍部分
３０  アンテナ保護構造
３１  保護部材
３２  突片
【図１】
2015104067.tif 000003
【図２】
2015104067.tif 000004
【図３】
2015104067.tif 000005
【図４】
2015104067.tif 000006
【図５】
2015104067.tif 000007
【図６】
2015104067.tif 000008
【図７】
2015104067.tif 000009
【図８】
2015104067.tif 000010
【図９】
2015104067.tif 000011